(57)【特許請求の範囲】
【請求項１】
折板屋根の下地に固定される固定片部を備えた固定足部材と、折板屋根の被係止部を係止可能な係止部が形成された係止部材とから成る折板屋根の取付金具であって、
上記固定足部材は、基板の両側に段落ち面を形成し、それぞれの段落ち面に固定片部が延設された縦断面略ハット形状に形成され、
上記係止部材は、上記固定足部材の基板と一体的に固定され、該基板よりも両側方で水平方向に延出して、それぞれの両側端を内側に狭めながら上方に延設した略ム形状に形成した係止部を有しており、
上記折板屋根の上記被係止部は、上記固定足部材の上記段落ち面と、上記係止部材の上記係止部とで係止されるようにした折板屋根の取付金具。
【請求項２】
折板屋根の下地に固定される固定片部を備えた固定足部材と、折板屋根の被係止部を係止可能な係止部が形成された係止部材とから成り、上記固定足部材は、基板の両側に段落ち面を形成し、それぞれの段落ち面に固定片部が延設された縦断面略ハット形状に形成され、上記係止部材は、上記固定足部材の基板と一体的に固定され、該基板よりも両側方で水平方向に延出して、それぞれの両側端を内側に狭めながら上方に延設した略ム形状に形成した係止部を有しており、上記折板屋根の上記被係止部は、上記固定足部材の上記段落ち面と、上記係止部材の上記係止部とで係止されるようにした折板屋根の取付金具と、
係止爪を設けたカバー体とを用いた折板屋根の取付構造であって、
上記取付金具を、上記折板屋根の下地に間隔をあけて複数固定し、
２枚の折板屋根のそれぞれの被係止部を、上記固定足部材の上記段落ち面に沿わせるようにして、上記係止部材の上記係止部に係止させ、更に
該係止部材の上方から上記２枚の折板屋根のぞれぞれの被係止部を挟持するようにして、上記カバー体を被せて、該カバー体の上記係止爪を上記係止部材の上記係止部に係合させた構造にした折板屋根の取付構造。
【発明の詳細な説明】
【０００１】
【発明の属する技術分野】
本発明は、折板屋根の取付金具及びこれを用いた折板屋根の取付構造に関する。
【０００２】
【従来の技術】
図３は、従来の折板屋根の取付金具及びこれを用いた折板屋根の取付構造を示す概略縦断面図である。
【０００３】
この取付金具１００は、折板屋根Ｙの下地Ｓに固定される固定片部１１１を備えた固定足部材１０１と、折板屋根Ｙの側端に形成された被係止部Ｙ１を係止可能な係止部１１２が形成された係止部材１０２と、この係止部材１０２の内側に固定されると共に、カバー体Ｋを支持する支持部１３３を備えた略台形状のカバー支持部材１０３とから成る。
【０００４】
固定足部材１０１は、固定片部１１１の両側に足部１２１が立設され、この足部１２１の上端にはネジ部１３１を形成している。
【０００５】
係止部材１０２には、ネジ部１３１を貫通する孔部１１３が形成されると共に、両端を上方に折曲し、折板屋根Ｙの被係止部Ｙ１を係止可能な係止部１１２を形成している。
【０００６】
カバー支持部材１０３の両下端には、ネジ部１３１を貫通して係止部材１０２の孔部１１３に重合される穴部１２３を形成してなり、この穴部１２３の内側を上方に立設してカバー体Ｋの内面を支持する支持部１３３を形成している。
【０００７】
このような構造の取付金具１００は、折板屋根Ｙの下地ＳにボルトＢ等で固定足部材１０１の固定片部１１１を固定し、そのネジ部１３１に係止部材１０２の孔部１１３、カバー支持部材１０３の穴部１２３を順に挿通した後、ナット１０４を螺合して、これら固定足部材１０１と、係止部材１０２、カバー支持部材１０３を一体化している。
【０００８】
このようにして一体化された係止部材１０２の両側から、折板屋根Ｙの側端に形成された被係止部Ｙ１を係止部１１２に各々係止して、必要に応じてその端部を溶接或いはボルト等の固定具Ｒで固着する。
【０００９】
そして、上方から内側に弾性付勢された逆樋状のカバー体Ｋを嵌装するとカバー体Ｋの中央部分の内面が、カバー支持部材１０３の支持部１３３に当接されると共に、カバー体Ｋの両下端に形成された係止爪部Ｋ１が、折板屋根Ｙの被係止部Ｙ１を挟んで、張り出された係止部材１０２の係止部１１２に係止する。
【００１０】
そのため、隣接する折板屋根Ｙ、Ｙに位置された取付金具１００は、目隠しされた状態でカバー体Ｋによって被覆される。
【００１１】
【発明が解決しようとする課題】
しかしながら、このような取付金具１００は、その構造が固定足部材１０１、係止部材１０２、カバー支持部材１０３という三つの部材から構成されているため、作業現場において下地Ｓに固定された固定足部材１０１に、係止部材１０２及びカバー支持部材１０３を順に組付けて一体化する必要があり、その施工作業に手間がかかるという問題があった。
【００１２】
本発明は、かかる課題を解決することを目的とするもので、折板屋根の下地に素早く固定可能な取付金具及びこれを用いた折板屋根の取付構造を提供する。
【００１３】
【課題を解決するための手段】
上記目的を達成するために、
請求項１に記載の折板屋根の取付金具は、折板屋根の下地に固定される固定片部を備えた固定足部材と、折板屋根の被係止部を係止可能な係止部が形成された係止部材とから成る折板屋根の取付金具であって、上記固定足部材は、基板の両側に段落ち面を形成し、それぞれの段落ち面に固定片部が延設された縦断面略ハット形状に形成され、上記係止部材は、上記固定足部材の基板と一体的に固定され、該基板よりも両側方で水平方向に延出して、それぞれの両側端を内側に狭めながら上方に延設した略ム形状に形成した係止部を有しており、上記折板屋根の上記被係止部は、上記固定足部材の上記段落ち面と、上記係止部材の上記係止部とで係止されるようにしてなる。
【００１４】
このものでは、固定足部材と、係止部材を一体的に形成し、折板屋根の被係止部を、固定足部材の段落ち面と、係止部材の係止部とで係止されるようにしているので、固定足部材を折板屋根の下地に固定するだけで、係止部材を同時に固定できるため、取付金具を折板屋根の下地に素早く固定することができ、施工作業を迅速に行うことができる。
【００１５】
請求項２に記載の折板屋根の取付構造は、折板屋根の下地に固定される固定片部を備えた固定足部材と、折板屋根の被係止部を係止可能な係止部が形成された係止部材とから成り、上記固定足部材は、基板の両側に段落ち面を形成し、それぞれの段落ち面に固定片部が延設された縦断面略ハット形状に形成され、上記係止部材は、上記固定足部材の基板と一体的に固定され、該基板よりも両側方で水平方向に延出して、それぞれの両側端を内側に狭めながら上方に延設した略ム形状に形成した係止部を有しており、上記折板屋根の上記被係止部は、上記固定足部材の上記段落ち面と、上記係止部材の上記係止部とで係止されるようにした折板屋根の取付金具と、係止爪を設けたカバー体とを用いた折板屋根の取付構造であって、上記取付金具を、上記折板屋根の下地に間隔をあけて複数固定し、２枚の折板屋根のそれぞれの被係止部を、上記固定足部材の上記段落ち面に沿わせるようにして、上記係止部材の上記係止部に係止させ、更に、該係止部材の上方から上記２枚の折板屋根のぞれぞれの被係止部を挟持するようにして、上記カバー体を被せて、該カバー体の上記係止爪を上記係止部材の上記係止部に係合させた構造にしてなる。
【００１６】
このものでは、上記請求項１で記載した取付金具は、折板屋根の下地に間隔をあけて複数固定されるので、取付金具を小型化して、取付金具を折板屋根の下地に素早く固定することができ、施工作業を迅速に行うことができる。
【００１７】
【発明の実施の形態】
以下、本発明に係る折板屋根の取付金具及びこれを用いた折板屋根の取付構造を図面とともに説明する。
【００１８】
図１は、本発明の取付金具を用いた折板屋根の取付構造を示す使用状態図である。
【００１９】
この取付金具１０は、折板屋根Ｙの下地Ｓに固定される固定片部１１を備えた固定足部材１と、折板屋根Ｙの被係止部Ｙ１を係止可能な係止部２１が形成された係止部材２とから成る。
【００２０】
固定足部材１は、基板１２の両側を段落ちさせて形成した段落ち面１ａ，１ａのそれぞれに固定片部１１が延設された縦断面略ハット形状に形成されている。
【００２１】
また、固定片部１１には、ボルト、ネジ、釘等の固定具Ｂが貫通される取付孔１３を開設している。
【００２２】
係止部材２は、固定足部材１の基板１２よりも両側方に各々延設して係止部２１，２１が形成され、且つ当該基板１２と一体的に固定された底板部２２を有しており、係止部２１のそれぞれは、この底板部２２の両側端から、内側に狭めながら上方に延設された略ム形状に形成されている。
【００２３】
なお、これら固定足部材１及び係止部材２の形状は、下地Ｓの構造や折板屋根Ｙの形状に合わせて形成され、これに限定されない。
【００２４】
これらの固定足部材１と係止部材２は、溶接、リベット止め等の手段で固着し、両者を一体化している。
【００２５】
図２（ａ）〜（ｃ）は、本発明の折板屋根の取付金具を用いた折板屋根の概略施工図である。
【００２６】
ここで、図１と共通する部位には、共通の符号を付し、その説明は省略する。
【００２７】
以下、これら図１、図２に基づき、本発明の取付金具１０を用いた折板屋根Ｙの取付構造を説明する。
【００２８】
上記のように構成した取付金具１０は、その固定片部１１の取付孔１３にボルト、ネジ、釘等の固定具Ｂを貫通するか又は溶接する等して、固定足部材１を折板屋根Ｙの下地Ｓの適所に固定する。
【００２９】
同様にして、この固定された取付金具１０と一定間隔をあけた軒棟方向に、他の取付金具１０’を同一線上に固定し、以下同様にして複数の取付金具１０、１０’…を下地Ｓに固定して行く（図１、図２（ａ）参照）。
【００３０】
次に、図２（ｂ）に示すように、固定された取付金具１０、１０’…の一方或いは両側方から２枚の折板屋根Ｙの側端に形成された被係止部Ｙ１、Ｙ１を、段落ち面１ａ，１ａに沿わせて係止部２１，２１に各々係止する。
【００３１】
なお、この折板屋根Ｙの下面には、断熱材等を固着しても構わない。
【００３２】
そして、図２（ｃ）に示すように、内側に弾性付勢された逆樋状のカバー体Ｋを上方から嵌装するとカバー体Ｋの中央部分の内面が、係止部材２の上端部２３に当接して支持されると共に、カバー体Ｋの両下端に形成された係止爪部Ｋ１が、折板屋根Ｙの被係止部Ｙ１を挟んで、張り出された係止部材２の係止部２１に係止される。
【００３３】
すると、隣接する折板屋根Ｙ、Ｙに位置された取付金具１０、１０’…は、目隠しされた状態でカバー体Ｋによって被覆される。
【００３４】
なお、図１で示すように、この取付けられた取付金具１０及びカバー体Ｋの軒側には、これらを目隠しするための面戸化粧カバーＭ１或いは、折板屋根Ｙの下面に設けられた上記断熱材等を目隠しするための面戸カバーＭ２を設ければ、和風感のある意匠的効果を得ることもできる。
【００３５】
【発明の効果】
本発明によれば、次のような効果がある。
【００３６】
請求項１に係る折板屋根の取付金具によれば、固定足部材と、係止部材を一体的に形成しているので、固定足部材を折板屋根の下地に固定するだけで、係止部材を同時に固定できるため、取付金具を折板屋根の下地に素早く固定することができ、施工作業を迅速に行うことができる。
【００３７】
請求項２に係る折板屋根の取付構造によれば、取付金具は、折板屋根の下地に間隔をあけて複数固定されるので、取付金具を小型化して、取付金具を折板屋根の下地に素早く固定することができ、施工作業を迅速に行うことができる。
【図面の簡単な説明】
【図 １】本発明の取付金具を用いた折板屋根の取付構造を示す使用状態図
【図 ２】（ａ）〜（ｃ）は、本発明の折板屋根の取付金具を用いた折板屋根の概略施工図
【図 ３】従来の折板屋根の取付金具及びこれを用いた折板屋根の取付構造を示す概略縦断面図
【符号の説明】
Ｙ    折板屋根
Ｙ１  被係止部
Ｋ    カバー体
Ｓ    下地
１０  取付金具
１    固定足部材
１ａ，１ａ  段落ち面
１１  固定片部
１２  基板
２    係止部材
２１  係止部
２２  底板部
【図１】
0003983528.tif 000002
【図２】
0003983528.tif 000003
【図３】
0003983528.tif 000004